(57)【要約】【課題】  インタフェースカードと異なるインタフェースプロトコルのコネクタスロットとの間の通信を容易にし、新旧双方のインタフェースプロトコルを用いてインタフェースカードの通常動作を可能にし、デバイスに対し別個の追加インタフェースカードを設ける必要性を取り除き、二つの異なるインタフェースプロトコルと共に動作するインタフェースカード用コンバータを提供する。【解決手段】  ケーシングと回路基板２とで構成され、ケーシングは回路基板２を収容しており、回路基板２にはその一端部にコンピュータに備わった第１のインタフェースプロトコルのコネクタスロットに接続されるコネクタ３が、またその他端部にインタフェースカードの第２のインタフェースプロトコルのコネクタを接続するスロットコネクタ４が備わっているインタフェースカード用コンバータである。【選択図】    図１
0003104941.tif 000002
【実用新案登録請求の範囲】
【請求項１】
ケーシングと該ケーシングが収容する回路基板とを備えるインタフェースカード用コンバータであって、
前記回路基板は、
一端にあってコンピュータ内に備わった第１のインタフェースプロトコルのコネクタスロットに接続するコネクタと、
他端にあってインタフェースカードの第２のインタフェースプロトコルのコネクタを接続するスロットコネクタと、
前記コネクタの複数のピンと前記スロットコネクタの複数のピンとの間で信号および電気の授受をもたらす導線および電子部品とを備え、
前記コネクタと該コネクタに隣接するケーシング部とが第１の大きさを形成しており、前記スロットコネクタと該スロットコネクタに隣接するケーシング部とが第２の大きさの空間を形成していることを特徴とする前記インタフェースカード用コンバータ。
【請求項２】
前記第１の大きさは、前記第２の大きさよりも小さいことを特徴とする請求項１記載のインタフェースカード用コンバータ。
【請求項３】
前記第１の大きさは前記第２の大きさよりも大であることを特徴とする請求項１記載のインタフェースカード用コンバータ。
【請求項４】
前記第１の大きさはエクスプレスカード規格コネクタの大きさであり、前記第２の大きさはカードバス規格インタフェースカードのコネクタを受け入れる大きさであることを特徴とする請求項１記載のインタフェースカード用コンバータ。
【請求項５】
前記第１の大きさはカードバス規格コネクタの大きさであり、前記第２の大きさはエクスプレスカード規格インタフェースカードのコネクタを受け入れる大きさであることを特徴とする請求項１記載のインタフェースカード用コンバータ。
【考案の詳細な説明】
【技術分野】
【０００１】
本考案は、インタフェースカード用コンバータに係り、特にエクスプレスカードインタフェース等の新規通信インタフェースを備えたインタフェースカードに適用可能なコンバータに関する。
【背景技術】
【０００２】
コンピュータ製品を応用するには、既にコンピュータシステムに組み込まれたものを除き、大半の周辺装置はインタフェースカードを用いてコンピュータシステムや他の周辺装置へ接続し、周辺デバイスが通信インタフェースを介してコンピュータシステムや他の周辺装置と通信して必要な機能を提供できるようにする必要がある。
【０００３】
通常のインタフェースカードは、一般にケーシングと回路基板とコンバータを備える。コンバータは、回路基板の一側に配設される。回路基板には、必要な電子部品も配設してある。回路基板の他側にはコネクタ導線が備わっており、この導線が周辺デバイスに接続される。ここでは、導線はケーブルや可撓性フラットケーブルや他の信号導線或いは給電コードである。無線技術を適用した場合、回路基板の他側には特定の周辺装置やネットワークノードと通信する無線送受信器が設けられる。
【０００４】
インタフェースカードの設計における最も重要な制約は、全ての種類のインタフェースカードが特定のインタフェースプロトコルに従って設計されるという点にある。一般的に、インタフェースプロトコル間の主要な相違点はインタフェースカードの肉厚および幅、それからインタフェースカードのピン数、ピン配置、およびピンピッチである。その結果、特定のインタフェースプロトコルに基づいて設計したインタフェースカードは他のインタフェースプロトコル規格に適合しなくなる。
【０００５】
コンピュータ技術の進展により、新規インタフェースプロトコルが時々公表される。公表された「エクスプレスカード」の最新のインタフェースプロトコルは、業界に受け入れられてきた。多くのこの新しいプロトコルに従うインタフェースカードが公表された。同時に、コンピュータやマザーボード製造業者もまた新たなインタフェースプロトコルに対応するスロットを備えた製品を製造し始めた。その結果、カードバス規格等の旧インタフェースプロトコルのインタフェースカードは、単純にエクスプレスカード規格等の新たなインタフェースプロトコルのコネクタスロットを備えたコンピュータで使用することができなくなる。新規プロトコルを追加したインタフェースカードは、そのコンピュータと共に動作するよう旧インタフェースプロトコルのインタフェースカードにデバイスを接続することが必要である。他方、新たなインタフェースプロトコルのインタフェースカードに接続したデバイスは、任意の旧インタフェースプロトコルの追加のインタフェースカードへ接続しなくしては旧型コンピュータと共に動作することはない。インタフェースカードの可搬性は、こうのようにして損なわれる。
【考案の開示】
【考案が解決しようとする課題】
【０００６】
本考案の目的は、インタフェースカードと異なるインタフェースプロトコルのコネクタスロットとの間の通信を容易にするインタフェースカード用コンバータを提供することにある。
本考案の別の目的は、新旧双方のインタフェースプロトコルを用いてインタフェースカードの通常動作を可能にする新規のインタフェースカード用コンバータを提供することにある。
本考案の他の目的は、デバイスに対し別個の追加インタフェースカードを設ける必要性を取り除き、二つの異なるインタフェースプロトコルと共に動作するインタフェースカード用コンバータを提供することにある。
【課題を解決するための手段】
【０００７】
本考案によれば、インタフェースカード用コンバータはケーシングと回路基板とで構成される。ケーシングは、回路基板を収容している。回路基板には、その一端部にコンピュータに備わった第１のインタフェースプロトコルのコネクタスロットに接続されるコネクタが、またその他端部にインタフェースカードの第２のインタフェースプロトコルのコネクタを接続するスロットコネクタが備わっている。回路基板にはまた必要な導線と電子部品とが備わっており、該コネクタの複数のピンと該スロットコネクタの複数のピンとの間に信号および電気の授受をもたらす。コネクタと該コネクタに隣接したケーシング部とは第１の大きさを形成しており、スロットコネクタおよび該スロットコネクタに隣接したケーシング部が第２の大きさの空間を形成している。本考案の一実施形態では、第１の大きさは第２の大きさよりも小さく、その一方で別の実施形態では、第１の大きさは第２の大きさよりも大きい。
本考案のこれらおよび他の目的ならびに利点は、以下に図面を参照して詳細に説明する。
【考案を実施するための最良の形態】
【０００８】
本考案は、インタフェースカードと異なるインタフェースプロトコルのコネクタスロットとの間の通信を容易にするインタフェースカード用コンバータを提供するものである。図１は、本考案のインタフェースカード用コンバータの第１実施形態の構成を示す。
この図に示すように、インタフェースカード用コンバータには上部カバー１１と下部カバー１２と回路基板１３とが備わっている。上部カバー１１と下部カバー１２とは、回路基板１３を収容するケーシングを形成するよう組み立てることができる。上部カバー１１と下部のカバー１２と回路基板１３とは、好ましくは対応した形状を有する。
【０００９】
図１に示すインタフェースカード用コンバータは、「エクスプレスカード」インタフェースプロトコルおよびコンピュータ内に設けられた「カードバス」インタフェースプロトコル（図示せず）のコネクタスロットのインタフェースカード７を用いて動作させる設計にしてある。現行のプロトコルによれば、エクスプレスカードの幅は３４ｍｍであり、カードバススロットの幅は５４ｍｍである。
【００１０】
回路基板１３には、一端２ａにコネクタ３が備わっている。コネクタ３は、コンピュータ内に設けられた第１のインタフェースコネクタスロット（図示せず）内に挿入するのに役立つ。この目的に合わせ、コネクタ３およびこのコネクタ３に隣接する上部カバー１１および下部カバー１２の一部の幅は、組立後は好ましくはカードバスインタフェースカードコネクタの幅、すなわち５４ｍｍとする。スロットコネクタ４が、回路基板２の他端２ｂに備わっている。スロットコネクタ４は、エクスプレスカードインタフェースカード７のインタフェースコネクタを接続するのに役立つ。この目的に合わせ、スロットコネクタ４とこのコネクタスロット４に隣接する上部カバー１１および下部カバー１２の一部が形成する空間の幅は、組立後は好ましくはエクスプレスカードコネクタスロットの幅、すなわち３４ｍｍとする。この大きさが、エクスプレスカード７を空間内に挿入させ、スロットコネクタ４に接続させる。この図では、コネクタ４を配置する箇所の回路基板２の端部２ｂに凹部２ｃが形成してあり、それによってスロットコネクタ４に対するエクスプレスカードインタフェースカード７の交換動作がより簡単になり、エクスプレスカード７は挿入後にコンバータによりしっかりと保持されるようになる。無論、本実施形態は回路基板２内に凹部が一切備わっていない箇所に当てはまるものである。加えて、上部カバー１１と下部カバー１２はこの端部に対応凹部を備えていても或いは備えていなくともよい。
【００１１】
複数のコネクタピン（図示せず）が、コネクタ３とスロットコネクタ４とに備わっている。回路基板２には、コネクタ３の複数のピンとスロットコネクタ４の複数のピンとを接続し、複数のピン間で信号と電気の授受ができるようにする必要な導線と電子部品（共に図示せず）とが備わっている。
【００１２】
上部カバー１１と下部カバー１２と回路基板２とを組み立て、コンバータを形成する。エクスプレスカード７のコネクタピンをスロットコネクタ４内に挿入し、コネクタ３をコンピュータの対応するコネクタスロット内に挿入する。このようにして、エクスプレスカードインタフェーススロットが全く備わっていないコンピュータを用いてエクスプレスカード７に接続された周辺装置を使用することが可能となる。
【００１３】
図２は、本考案のインタフェースカード用コンバータの第２実施形態の構成を示す。図１の構成要素と同一の構成要素には、同一符号が付してある。この図に示すように、本実施形態のインタフェースカード用コンバータは、「カードバス」インタフェースプロトコルのインタフェースカード８およびコンピュータ内に設けられた「エクスプレスカード」インタフェースプロトコル（図示せず）のコネクタスロットと共に動作するよう設計してある。
【００１４】
この図に示すように、インタフェースカード用コンバータにもまた上部カバー１１と下部カバー１２と回路基板１３とが備わっている。上部カバー１１と下部カバー１２とを組み立て、回路基板１３を収容するケーシングを形成する。
【００１５】
回路基板２の一端部２ａには、コンピュータ内に設けられたエクスプレスカードスロットに接続するコネクタ５が備わっている。この目的を達成するため、回路基板２の一部と上部カバー１１および下部カバー１２の一部、すなわちコネクタ５に隣接する全てが、好ましくは組立後に３４ｍｍの幅を有する。回路基板２の他端部２ｂには、カードバスインタフェースカード８のコネクタを接続するスロットコネクタ６が備わっている。この目的を達成するため、回路基板２の一部および上部カバー１１および下部カバー１２の一部、すなわちスロットコネクタ６に隣接する全てが、好ましくは組立後に５４ｍｍの幅を有する。カードバスインタフェースカード８をしっかりと保持するため、上部カバー１１および下部カバー１２の長さは好ましくは回路基板２の長さよりも長くし、それを挿入した後にインタフェースカード８を囲繞するようにしてある。しかしながら、これがコンバータの必須要件の全てではない。
【００１６】
上記のインタフェースカード用コンバータは、より厚肉の端部とより薄肉の端部とを有する。厚肉端部の肉厚および幅は、薄肉端部のそれよりも大である。このように作製したコンバータは、カードバスインタフェースカード８をそのスロットコネクタ６へ接続した後、エクスプレスカードインタフェーススロット内に挿入し、これによりカードバスインタフェースカードに接続する周辺デバイスをエクスプレスカードインタフェーススロットしか備わっていないコンピュータと共に機能させることができるようになる。
【００１７】
上述のように、本考案のインタフェースカード用コンバータにはケーシングと回路基板とが備わっている。ケーシングは、回路基板を収容している。回路基板には、その一端にコンピュータに備わった第１のインタフェースプロトコルのコネクタスロットに接続するコネクタと、他端にインタフェースカードの第２のインタフェースプロトコルのコネクタを接続するスロットコネクタとが備わっている。回路基板には必要な導線および電子部品もまた備わっていて、該コネクタの複数のピンと該スロットコネクタの複数のピンとの間に信号および電気の授受をもたらす。コネクタおよび該コネクタに隣接するケーシング部は第１の大きさを形成しており、スロットコネクタおよび該スロットコネクタに隣接するケーシング部が第２の大きさの空間を形成している。本考案の第１実施形態では、第１の大きさは第２の大きさよりも小さく、その一方で別の実施形態では、第１の大きさは第２の大きさよりも大としてある。
【００１８】
本考案のインタフェースカード用コンバータの使用時に、エクスプレスカードインタフェーススロットが備わっていないコンピュータと共にエクスプレスカードインタフェースカードを動作させたり、或いはエクスプレスカードインタフェースカードの備わっていない周辺装置をエクスプレスカードインタフェーススロットだけが備わっているコンピュータと共に動作させたりするのに、追加種のインタフェースカードを用意する必要はない。
【００１９】
本考案の応用では、本考案の二つの実施形態は一方を他方へ挿入して組製品を形成することで接続することができる。ユーザは、異なるインタフェースプロトコルを備えるインタフェースカードやインタフェーススロットを配設した周辺装置およびコンピュータの付いた組製品を使用することができる。インタフェースカードの追加種は、一切不要である。
本考案をその好適な実施形態を参照して図示し説明してきたので、当業者には本考案の趣旨および範囲から逸脱することなく上記および他の変形をなし得る。
【図面の簡単な説明】
【００２０】
【図１】本考案の第１実施形態によるインタフェースカード用コンバータを示す分解斜視図である。
【図２】本考案の第２実施形態によるインタフェースカード用コンバータを示す分解斜視図である。
【符号の説明】
【００２１】
２  回路基板、２ａ  一端部、２ｂ  他端部、２ｃ  凹部、３，５  コネクタ、４，６  スロットコネクタ、７  インタフェースカード、８  カードバスインタフェースカード、１１  上部カバー、１２  下部カバー
【図１】
0003104941.tif 000003
【図２】
0003104941.tif 000004